(57)【要約】本発明は、喪失した歯牙の機能を復元又は増進するための歯科用インプラント構造物に関するものである。歯牙の喪失した部位の歯槽骨上に複数のホールが形成された歯科インプラント用メッシュプレート１をローディングして固定する。その後、上皮と歯肉結合組織の増殖を抑制するための遮断材９を用いてメッシュプレート１の上部を一定空間を置いて覆う。その後、メッシュプレート１と遮断材９によって限定された空間にメッシュプレートの複数のホールを通して流入した血餠から歯槽骨が再生される。これによって、メッシュプレート１は、再生された歯槽骨によって歯槽骨に堅固に固定される。また、メッシュプレート１から突出したアバットメント２に装着されたインプラント上部構造物も歯槽骨に堅固に固定される。【選択図】図１
2010524556.tif 000002
【特許請求の範囲】
【請求項１】
歯牙の喪失した歯槽骨上にローディングするための複数のホールが形成されたメッシュプレートを含むことを特徴とする歯科用インプラント構造物。
【請求項２】
インプラント上部構造物が装着されるように、前記インプラント用メッシュプレートの上部面から突出する一つ以上のアバットメントをさらに含むことを特徴とする、請求項１に記載の歯科用インプラント構造物。
【請求項３】
前記メッシュプレートの下部面は、歯槽骨の上部面と類似した形状を有することを特徴とする、請求項１又は２に記載の歯科用インプラント構造物。
【請求項４】
初期固定を容易にするために、歯槽骨に形成された穴に植立されるように前記メッシュプレートの下部面から突出するフィクスチャをさらに含むことを特徴とする、請求項１又は２に記載の歯科用インプラント構造物。
【請求項５】
固定を容易にし、ブリーディングを誘導するために前記メッシュプレートの下部面に先の尖った先端を有する複数のウェッジをさらに含むことを特徴とする、請求項１又は２に記載の歯科用インプラント構造物。
【請求項６】
前記メッシュプレートから所定の高さに配置されて空間を形成し、前記複数のホールを通して前記空間に流入した血餠が歯槽骨に再生されることを容易に誘導するために上皮と歯肉結合組織の増殖を抑制する遮断材をさらに含むことを特徴とする、請求項１に記載の歯科用インプラント構造物。
【請求項７】
前記遮断材は、前記メッシュプレートと一定の空間を維持し、前記メッシュプレートを覆うように遮断材支持台及び補強台によって支持されることを特徴とする、請求項６に記載の歯科用インプラント構造物。
【請求項８】
複数のホールを有し、歯牙の喪失した歯槽骨上にローディングされるように形成されており、下部面が歯槽骨の上部面と類似した形状を有することを特徴をする歯科インプラント用メッシュプレート。
【発明の詳細な説明】
【技術分野】
【０００１】
本発明は、歯科用インプラント構造に関するもので、より詳細には、歯科インプラント用メッシュプレート及びこれを含む歯科用インプラント構造物に関するものである。
【背景技術】
【０００２】
喪失した歯牙の機能を復元又は増進可能にする歯科補綴法には、クラウンブリッジ補綴法、インプラント補綴法などの多様な方法がある。そのうち、従来のインプラント修復法は、歯槽骨にフィクスチャを植立し、そのフィクスチャに上部構造物を連結できるようにアバットメントを形成し、そのアバットメントに人工歯牙を装着することによって喪失した歯牙を修復する方法である。
【０００３】
しかしながら、歯槽骨の喪失が激しい場合、フィクスチャの植立位置が下歯槽神経に密接している場合、又はフィクスチャの植立位置が上顎洞に近接している場合には、そのままフィクスチャを植立するのは難しく、補助技術なしにインプラントを施術するのに多くの制約が伴う。
【０００４】
したがって、フィクスチャを補助するための多様な技術が遂行されている。このような技術としては、消失した歯槽骨に人工骨又は自家骨を移植すること、歯槽骨を割ること、上顎洞挙上術、又は下歯槽神経を移してフィクスチャを植立する神経転位術がある。しかしながら、このような技術は、非常に複雑であり、危険や負担も大きく、施術に長い時間を要求している。
【０００５】
また、歯槽骨の特定状態によってフィクスチャが正常方向に植立できない場合も頻繁にある。その結果、このような短所を克服できる新規の歯科用インプラント構造物が至急に要求される。
【発明の概要】
【発明が解決しようとする課題】
【０００６】
従来のインプラントにおける上述した多様な制約は、いずれもインプラント上部構造物の維持力が、歯槽骨に植立されたフィクスチャによって維持されるしかないという点から生じたものである。すなわち、インプラント補綴物においては、何よりもフィクスチャを植立する歯槽骨が丈夫でなければならない。
【０００７】
したがって、従来は、インプラント施術のために、消失した歯槽骨に人工骨又は自家骨を移植すること、歯槽骨を割ること、上顎洞挙上術、又は下歯槽神経を移して一定の空間を確保した後、フィクスチャを植立する神経転位術などの種々の難しい技術が提案された。
【０００８】
本発明によれば、歯槽骨に植立されたフィクスチャではなく、歯槽骨に固着された歯科インプラント用メッシュプレートによってインプラント上部構造物の維持力を得ることができる。その結果、従来のインプラントにおける多様な制約を全て克服することができる。
【課題を解決するための手段】
【０００９】
本発明の実施例は、歯牙の喪失した歯槽骨上にローディングするための複数のホールが形成されたインプラント用メッシュプレート及びこれを含む歯科用インプラント構造物に関するものである。
【００１０】
インプラント上部構造物を装着するための1つ以上のアバットメントがメッシュプレートの上部面から突出することができる。
【００１１】
複数のホールを通してメッシュプレートの上部に流れ込んだ歯槽骨の血餠から歯槽骨が再生されることを容易に誘導するために、メッシュプレートから所定の高さでメッシュプレートを覆うことができる上皮と歯肉結合組織の増殖を抑制する遮断材をさらに含むことができる。
【００１２】
複数のホールが形成されたメッシュプレートを歯牙の喪失した歯槽骨上にローディングしておく。その後、遮断材がメッシュプレートから所定の高さでメッシュプレートを覆って所定空間を形成する。その後、歯槽骨は、その空間に流入した血餠から再生される。時間の経過とともに、再生された歯槽骨はメッシュプレートを覆い、メッシュプレートが歯槽骨に固着される。その後、インプラント上部構造物がアバットメントに固着される。その結果、インプラント上部構造は、再生された歯槽骨とその歯槽骨に固着された歯科インプラント用メッシュプレートによって支持される。
【００１３】
メッシュプレート上には、アバットメントが一体に又は着脱可能に形成される。
【００１４】
インプラント構造物をより堅固に固定するために、歯槽骨に形成された穴に挿入・固定されるようにメッシュプレートの下部面から突出したフィクスチャを形成することができる。また、インプラント構造物をより堅固に固定し、ブリーディングを誘導し、歯槽骨再生術（ＧＢＲ：ｇｕｉｄｅｄ  ｂｏｎｅ  ｒｅｇｅｎｅｒａｔｉｏｎ）を行うにおいて血餠誘導を促進するために、メッシュプレートの下部から突出する先の尖った先端を備えた複数のウェッジを形成して歯槽骨に浸透させることができる。
【発明の効果】
【００１５】
本発明の実施例によれば、歯科インプラント用メッシュプレートが歯槽骨上にローディングされる。メッシュプレートには、歯槽骨に形成された穴に挿入・固定されるようにメッシュプレートの下部面から突出したフィクスチャが設けられる。メッシュプレートは、再生された歯槽骨で覆われる。その結果、特別な危険なしに歯科インプラント施術が行われる。
【００１６】
また、歯槽骨の消失が激しい場合、フィクスチャの植立位置が上顎洞に近接している場合、そして、フィクスチャの植立位置が下歯槽神経に近接している場合などにも大きな危険なしにインプラント施術が行われる。施術時間も大いに短縮し、さらに、初期固定の困難さも画期的に克服することができる。
【００１７】
また、上部修復歯牙の位置選定時に与えられた口腔与件下で最適の位置を探し、インプラント構造物を植立することができる。
【００１８】
また、歯槽骨に穴を形成しなければならない場合にも、骨質の最も良い部位を選んで穴を形成することができる。従来のインプラント構造と異なり、本発明の実施例に係るメッシュプレートのフィクスチャは、アバットメントの直下部に形成される必要がない。
【図面の簡単な説明】
【００１９】
【図１】歯槽骨にローディングされた本発明の一実施例に係る歯科インプラント用メッシュプレートの斜視図である。
【図２】本発明の一実施例に係る歯科インプラント用メッシュプレートの上部斜視図である。
【図３】本発明の一実施例に係る歯科インプラント用メッシュプレートの上部斜視図である。
【図４】本発明の一実施例に係る歯科インプラント用メッシュプレートの下部斜視図である。
【図５】本発明の一実施例に係るフィクスチャが形成された歯科インプラント用メッシュプレートの下部斜視図である。
【図６】本発明の一実施例に係る先の尖った先端を有する複数のウェッジを備えた歯科インプラント用メッシュプレートの下部斜視図である。
【図７】本発明の一実施例に係る先の尖った先端を有する複数のウェッジを備えた歯科インプラント用メッシュプレートの断面図である。
【図８】本発明の一実施例に係る歯科インプラント用メッシュプレート固定用ねじの装着方法を示した上部斜視図である。
【図９】本発明の一実施例に係る歯科インプラント用メッシュプレート上の上皮と歯肉結合組織の増殖を抑制する遮断材の支持台固定用ねじの装着方法を示した上部斜視図である。
【図１０】本発明の一実施例に係る歯科インプラント用メッシュプレートの適用過程を示す側面図である。
【図１１】本発明の一実施例に係る歯科インプラント用メッシュプレートの適用過程を示す側面図である。
【図１２】本発明の一実施例に係るインプラント用メッシュプレートにフィクスチャがない場合を示す側面図である。
【図１３】本発明の一実施例に係るインプラント用メッシュプレートにフィクスチャがある場合の歯槽骨に穴を形成した状態を示す側面図である。
【図１４】本発明の一実施例に係る歯科インプラント用メッシュプレートに複数のアバットメントが形成された状態を示す上部斜視図である。
【図１５】本発明の一実施例に係るインプラント用メッシュプレートを適用した後の縫合状態を示す側面図である。
【図１６】本発明の一実施例に係るアバットメントに上部構造物を装着する状態を示す側面図である。
【発明を実施するための形態】
【００２０】
以下、本発明の好適な実施例を添付の図面を参照して詳細に説明する。
【００２１】
図１は、歯槽骨にローディングされた本発明の一実施例に係る歯科インプラント用メッシュプレートの斜視図である。
【００２２】
本発明の一実施例に係る歯科用インプラント構造物は、プレート固定ホール３及びホール４を備えたメッシュプレート１と、アバットメント２と、遮断材支持台５とを含む。歯科用インプラント構造物は、補強台５１、フィクスチャ６、プレート固定用ねじ７、遮断材固定用ねじ８、ウェッジ１２、及び上皮と歯肉結合組織の増殖を抑制する遮断材９をさらに含むことができる。遮断材９は、メッシュプレートと一定の距離を置いて遮断材支持台５によって支持される。
【００２３】
メッシュプレート１の下部面は、図１〜図１３に示すように、歯槽骨に容易にローディングされるように歯槽骨の上部面と同一の形状で製作される。また、メッシュプレート１は複数のホールを有する。
メッシュプレート１にプレート固定用ねじ７を挿入するプレート固定用ホール３を形成することもできる。遮断材支持台５は、メッシュプレート１を覆う遮断材９を支持するようにメッシュプレート１から突出している。メッシュプレート１の上部には、インプラント上部構造物を装着できるようにアバットメント２が形成されている。
【００２４】
以下、歯科用インプラント構造物を植立する方法について説明する。
【００２５】
図１０を参照すれば、歯茎を切開１０して歯槽骨を露出させ、歯槽骨にメッシュプレート１を装着する。メッシュプレート１の下部面が歯槽骨の露出面と同一の形状を有することによって、メッシュプレート１は、露出された歯槽骨上に容易に装着されて安定的に固着される。図８に示すように、プレート固定用ねじ７をプレート固定用ホール３に挿入し、メッシュプレート１を歯槽骨に固定する。図１１を参照すれば、メッシュプレート１から所定距離を置いてメッシュプレート１を覆うように、歯肉結合組織の増殖を抑制する遮断材９を遮断材支持台５に装着する。遮断材９を介して遮断材支持台５に遮断材固定用ねじ８を挿入し、遮断材支持台５に遮断材９を安定的に固定する。
【００２６】
メッシュプレート１が装着された後、歯茎を縫合する。その後、図１５に示すように、歯茎上にアバットメント２が露出される。図１６を参照すれば、アバットメント２を用いてインプラント上部構造物を装着するようになる。
【００２７】
メッシュプレート１が装着されて縫合が終了すれば、メッシュプレート１と遮断材９との間に血餠が形成され、血餠が骨組織に変化することによって歯槽骨が再生される。再生された歯槽骨は、メッシュプレート１を堅固に支持することによって、インプラント上部構造物の優れた支持手段になる。
【００２８】
上述したように、メッシュプレート１の下部面が歯槽骨の上部面と同一の形状を有するので、メッシュプレート１は歯槽骨に堅固に固着される。一方、より堅固な固着のために、歯槽骨に形成された穴１１に挿入・固定されるようにメッシュプレート１の下部面にフィクスチャ６を突出させることができる。歯槽骨に浸透できるようにするために、先の尖った先端を有する複数のウェッジ１２をメッシュプレート１の下部面に形成することもできる。
【００２９】
以上では、特定実施例を参照して本発明を説明したが、本発明の属する技術分野の当業者であれば、添付の特許請求の範囲によって定められる本発明の思想と範囲から逸脱しない範囲で多様な変更及び改造が可能である。
【図１】
2010524556.tif 000003
【図２】
2010524556.tif 000004
【図３】
2010524556.tif 000005
【図４】
2010524556.tif 000006
【図５】
2010524556.tif 000007
【図６】
2010524556.tif 000008
【図７】
2010524556.tif 000009
【図８】
2010524556.tif 000010
【図９】
2010524556.tif 000011
【図１０】
2010524556.tif 000012
【図１１】
2010524556.tif 000013
【図１２】
2010524556.tif 000014
【図１３】
2010524556.tif 000015
【図１４】
2010524556.tif 000016
【図１５】
2010524556.tif 000017
【図１６】
2010524556.tif 000018
【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
複数のホールを有し、歯牙の喪失した歯槽骨上にローディングされるように構成されるメッシュプレートと、
前記メッシュプレートの上部面から突出する少なくとも1つのアバットメントと、
前記メッシュプレートから所定の高さを有して配置されて空間を形成し、前記複数のホールを通して前記空間に流入した血餠から歯槽骨が再生されることを容易に誘導するために、上皮と歯肉結合組織の増殖を抑制する遮断材と、を含み、
前記メッシュプレートは、歯槽骨の上部面と類似した形状を有し、前記アバットメントは、インプラント上部構造物を固定するように遮断材を介して前記メッシュプレートから突出することを特徴とする歯科用インプラント構造物。
【請求項２】
前記メッシュプレートの固定を容易にするために歯槽骨に形成された穴に植立されるように、前記メッシュプレートの下部面から突出するフィクスチャをさらに含むことを特徴とする、請求項１に記載の歯科用インプラント構造物。
【請求項３】
前記メッシュプレートの固定を容易にし、ブリーディングを誘導するために、前記メッシュプレートの下部面に先の尖った先端を有する複数のウェッジをさらに含むことを特徴とする、請求項１に記載の歯科用インプラント構造物。
【請求項４】
前記遮断材は、前記メッシュプレートと一定の空間を維持し、前記メッシュプレートの上部を覆うように複数の遮断材支持台及び少なくとも1つの補強台によって支持されることを特徴とする、請求項１に記載の歯科用インプラント構造物。
【請求項５】
遮断材固定用ねじは、遮断材支持台上に遮断材を安定的に固定するように、前記遮断材を介して前記遮断材支持台に挿入されることを特徴とする、請求項４に記載の歯科用インプラント構造物。
【国際調査報告】
2010524556.tif 000019
2010524556.tif 000020